(57)【要約】【課題】イオンを利用することで、大気中に浮遊する細かい塵埃の捕集が可能な電気掃除機を提供すること。【解決手段】イオン発生器３５と、吸引風を発生する電動送風機２と、エレクトレット加工された不織布を用いた集塵袋４と、吸込具１６を有し、イオン発生器３５で発生させた大量のイオンを、電動送風機２の排気の一部を利用して大気に放出させて、浮遊する塵埃を広範囲に帯電させた後、このイオンで帯電された塵埃を集塵袋４で、捕集させる構成とした。【選択図】図２
2008212389.tif 000002
【特許請求の範囲】
【請求項１】
吸引風を発する電動送風機と、前記電動送風機の排気と共に大気にイオンを放出させるイオン発生器と、塵埃を捕集する不織布を用いた集塵袋を内蔵する電気掃除機本体と、前記電動送風機に連通し塵埃を吸引する吸込具を備え、前記電動送風機の排気と共に大気に放出させたイオンで浮遊する塵埃を帯電させ、前記不織布を用いた集塵袋で、前記イオンと帯電された塵埃を捕集させることを特徴とする電気掃除機。
【請求項２】
集塵袋の材質はエレクトレット加工された熱可塑性繊維からなる不織布であることを特徴とする請求項１に記載の電気掃除機。
【請求項３】
電気掃除機本体のイオン排出口から１ｍの範囲内では、イオンの数を少なくとも４５万個以上大気に放出させる構成とした請求項１または２に記載の電気掃除機。
【請求項４】
電気掃除機本体の主排気口の排気風速よりもイオン排出口からの排気風速を高めたことを特徴とする請求項１〜３のいずれか１項に記載の電気掃除機。
【請求項５】
イオンの排出方向を斜め略４５度上方へ排出させることを特徴とする請求項１〜４のいずれか１項に記載の電気掃除機。
【発明の詳細な説明】
【技術分野】
【０００１】
本発明は、空気清浄効果の高い電気掃除機に関するものである。
【背景技術】
【０００２】
従来から電気掃除機のイオンを発生させることに関しては、吸気または排気経路にイオン発生体を配置させる構成のものが提案されている（例えば、特許文献１参照）。
【特許文献１】特開２００３−１９００４６号公報
【発明の開示】
【発明が解決しようとする課題】
【０００３】
しかしながら、上記のイオンを発生させる方法では、大気中に浮遊する細かい塵埃の捕集はできないため、空気清浄効果が極めて少ないものであった。
【０００４】
本発明は、上記の課題を解決するものであり、空気清浄効果の優れた電気掃除機を提供することを目的としている。
【課題を解決するための手段】
【０００５】
従来の課題を解決するために、本発明は、吸引風を発する電動送風機と、前記電動送風機の排気と共に大気にイオンを放出させるイオン発生器と、塵埃を捕集する不織布を用いた集塵袋を内蔵する電気掃除機本体と、前記電動送風機に連通し塵埃を吸引する吸込具を備え、前記電動送風機の排気と共に大気に放出させたイオンで浮遊する塵埃を帯電させ、前記不織布を用いた集塵袋で、前記イオンで帯電された塵埃を捕集させる構成としたので、大気中に浮遊する塵埃を効率的に捕集でき、空気清浄効果の高い電気掃除機を提供できるのである。
【発明の効果】
【０００６】
本発明の電気掃除機は、大気中に浮遊する細かい塵埃をイオンで帯電させて捕集することにより、空気清浄効果の優れた電気掃除機とすることができる。
【発明を実施するための最良の形態】
【０００７】
第１の発明は、吸引風を発する電動送風機と、前記電動送風機の排気と共に大気にイオンを放出させるイオン発生器と、塵埃を捕集する不織布を用いた集塵袋を内蔵する電気掃除機本体と、前記電動送風機に連通し塵埃を吸引する吸込具を備え、前記電動送風機の排気と共に大気に放出させたイオンで浮遊する塵埃を帯電させ、前記不織布を用いた集塵袋で、前記イオンで帯電された塵埃を捕集させる構成としたので、大気中に浮遊する塵埃を効率的に捕集でき、空気清浄効果の高い電気掃除機を提供できるのである。
【０００８】
第２の発明は、集塵袋の材質はエレクトレット加工された熱可塑性繊維からなる不織布としたので、電気掃除機本体の運転による集塵袋内を通過した空気の摩擦によって帯電しやすくなり、捕集された細かな塵埃が集塵袋内で付着しやすくなるため、空気清浄効果がいっそう高まるのである。
【０００９】
第３の発明は、電気掃除機本体のイオン排出口から１ｍの範囲内では、イオンの数を少なくとも４５万個以上大気に放出させる構成としたので、電気掃除機本体の移動でイオンを部屋中に効率よく放出させることができるものとなる。
【００１０】
第４の発明は、電気掃除機本体の主排気口の排気風速よりもイオン排出口からの排気風速を高めた構成としたので、イオンを部屋中に効率よく放出させることができるものとなる。
【００１１】
第５の発明は、イオンの排出方向を斜め略４５度上方へ排出させる構成としたので、イオンをより遠くへ効率よく放出させることができるものとなる。
【００１２】
以下、本発明の実施の形態について、図面を参照しながら説明する。なお、この実施の形態によって本発明が限定されるものではない。
【００１３】
（実施の形態１）
本発明の第１の実施の形態における電気掃除機について、図１〜６を用いて説明する。
【００１４】
図１、２において、１は電気掃除機本体で、後部に電動送風機２を内蔵した電動送風機室３が配され、前部に、着脱自在で塵埃を捕集するエレクトレット加工された集塵袋４を収納する集塵室５が配され、後方下部の両側に１対の走行用の車輪６が回転自在に取着され、底面前部には、同じく走行用のキャスター７が取着されている。電気掃除機本体１の前部には、ホース８の一端に設けた接続パイプ９が着脱自在に接続される吸入口１０が設けられている。
【００１５】
前記エレクトレット加工された集塵袋４の材質はポリプロピレン等の熱可塑性繊維で構成されており、空気等の摩擦で一般的にはマイナス側に帯電することになる。
【００１６】
ホース８の他端には、掃除の際に握る把手１１を備えた先端パイプ１２が設けられている。１３は、伸縮自在或いは継ぎ自在の延長管で、下流側端部が前記先端パイプ１２に着脱自在に接続され、他端は、塵埃掻き揚げ用の回転ブラシ１４と、その回転ブラシ１４を回転駆動するモーター１５を内蔵した吸込具１６に着脱自在に接続される。
【００１７】
１７は、電気掃除機本体１を持ち運ぶ際に使用する本体ハンドルで、電気掃除機本体１の集塵室５を覆う蓋１８と上ボディ１９で構成されている。
【００１８】
電動送風機２の前部は、弾性材料からなるサポート前２０で、後部は、同じく弾性材料からなるサポート後２１で、電動送風機室３内に支持されており、モーターケース２２とモーターカバー２３にて、前記サポート前２０とサポート後２１を挟持している。
【００１９】
図３において、３３は電動送風機２の排気を排出させる主排気口３４であり、主排気口３４は全面を紡績布で覆われた電気掃除機本体１と着脱自在な部品であり、電動送風機２の排気の風速を低減させることを目的としている。
【００２０】
図４、５に示すように、前記モーターカバー２３後方にイオンを発生させるための電源としての高電圧装置２４が保持固定されている。また、上ボディ１９上方後部に設けたスタンド収納用のレスト部２５内部に、電極カバー２６で覆われた針状電極２７、２８を電極ケース２９にねじ３０で固定されユニット化されたイオン発生器３５が収納されている。そして、前記針状電極２７、２８と高電圧装置２４は電気的に接続されている。さらに電極カバー２６上方を覆うように、イオン排出口３１を備えたレストカバー３２が上ボディ１９とねじ固定されている。この構成により、針状電極２７、２８間でコロナ放電することにより、マイナスイオンが発生する。
【００２１】
上記構成による作用は以下の通りである。
【００２２】
電動送風機２を運転させると、針状電極２７、２８間で発生したマイナスイオンが電動送風機２の排気風と共に、イオン排出口３１から斜め上方へ放出される。この時、主排気口３４は全面を紡績布で覆うことで排気風速を抑える様に構成しているので、排気風はイオン排出口３１へ流れやすくなり、イオン排出口３１の風速を高めることができ、よりいっそう遠くへイオンを放出できるのである。
【００２３】
イオン排出口３１から放出されたマイナスイオンにより、大気中に浮遊する細かい塵埃はマイナス側に帯電する。
【００２４】
マイナス側に帯電した塵埃は吸込具１６から吸引され、延長管１３、ホース８を通過した後、エレクトレット加工されたマイナス側に帯電しやすい集塵袋４に捕集されるため、集塵袋４のマイナス側の電位が上昇して塵埃が付着しやすくなるのである。
【００２５】
以上の構成の電気掃除機を用いて、本発明の効果を調べた実験結果を以下に示す。
【００２６】
本実施の形態の電機掃除機を用いて、空気清浄機の規格ＪＥＭ１４６７の試験法に準じた比較を行った。２０〜３０ｍ３の測定室内でタバコ吸煙機でタバコ５本を発煙させ、タバコ吸煙機と同程度のかくはんファンを運転させながら濃度分布を一定にする。その後掃除機を運転させながら、粒子径０．３μｍのタバコの煙の減衰率を時間毎に測定した。
【００２７】
図６はこの実験結果をグラフにしたもので、１０分後の比較では本実施の形態の電気掃除機が除去率７５％で、従来の電気掃除機が６０％であった。よって、１５％の向上が確認された。
【００２８】
この様に、本実施の形態によると、電気掃除機本体にイオン発生器を備え、排気と共にイオンを大量に排気し、大気中に浮遊する細かい塵埃をイオンで帯電させて、不織布を用いた集塵袋で捕集することにより、従来に比べ空気清浄効果の優れた電気掃除機を得ることができる。特に、集塵袋としてエレクトレット加工を施した不織布を用いることにより、集塵袋に塵埃が付着しやすくなり空気清浄効果を向上することができる。
【産業上の利用可能性】
【００２９】
以上のように、本発明にかかる電気掃除機は、簡便な手段により空気清浄効果の優れた各種家庭用、業務用電気掃除機等に広く適用できる。
【図面の簡単な説明】
【００３０】
【図１】本発明の実施の形態１における電気掃除機の全体斜視図
【図２】同電気掃除機の断面図
【図３】同電気掃除機の電気掃除機本体後部の斜視図
【図４】同電気掃除機の電気掃除機本体の要部断面図
【図５】同電気掃除機のイオン発生器の分解斜視図
【図６】同電気掃除機の空気清浄効果を示すグラフ
【符号の説明】
【００３１】
１  電気掃除機本体
２  電動送風機
４  集塵袋
１６  吸込具
３１  イオン排出口
３４  主排気口
３５  イオン発生器
【図１】
2008212389.tif 000003
【図２】
2008212389.tif 000004
【図３】
2008212389.tif 000005
【図４】
2008212389.tif 000006
【図５】
2008212389.tif 000007
【図６】
2008212389.tif 000008